(57)【特許請求の範囲】
【請求項１】
加熱室と、前記加熱室内の被加熱物を加熱する加熱手段と、前記加熱室を開閉する扉と、前記加熱手段を制御する制御部と、前記加熱手段の駆動を制御する操作部とを備えた高周波加熱装置を、移動可能な台車に載せて固定し、台車の前面には、上下方向に調整可能な飾り板を有し、前記飾り板は、キッチンのケコミ部より上方に対応する第１の飾り板および第２の飾り板と、前記ケコミ部に対応する第３の飾り板とを備え、前記第１の飾り板と前記第２の飾り板は一部を重ね合わせた構成とし、相互の位置調整によりキッチンのケコミ部のラインと前記第２の飾り板の下端ラインとを合わせる構成とし、前記第１の飾り板と前記第２の飾り板との長手方向に隙間が発生することを防止する裏板金具を備えたビルトイン型加熱装置。
【請求項２】
前記第３の飾り板は前後方向に調整可能な構成とし、前記飾り板の位置調整によりキッチンのケコミ部の奥行と前記第３の飾り板と合わせる構成とした請求項１に記載のビルトイン型加熱装置。
【請求項３】
前記加熱装置を固定した移動可能な台車の前面に位置し、備えられた引き出し式の棚の前面に接合手段で固定され、台車の外観部品として構成された飾り板を有する請求項１または２に記載のビルトイン型加熱装置。
【請求項４】
前記加熱装置を固定した移動可能な台車の前面に位置し、台車の前面に接合手段で固定され、台車の外観部品として構成された飾り板を有する請求項１または２に記載のビルトイン型加熱装置。
【発明の詳細な説明】
【技術分野】
【０００１】
本発明はヒータやマイクロ波等によって被加熱物を加熱する加熱装置に関し、特に床置き型でＩＨやガスコンロ等の下で使用する場合に好適なビルトイン型加熱装置に関する。
【背景技術】
【０００２】
一般にヒータやマイクロ波等によって被加熱物を加熱する加熱装置、例えば高周波加熱装置は装置本体の表面に加熱手段等の操作部が設けてある（例えば、特許文献１参照）。
【０００３】
従来の高周波加熱装置では、装置本体の前面に、加熱室を扉ハンドルにて開閉する扉とともに加熱手段を操作する操作部が設けてあり、この操作部を操作して各種の加熱調理を行うようになっていた。
【特許文献１】特開昭５９−２１２６２６号公報
【発明の開示】
【発明が解決しようとする課題】
【０００４】
しかしながら、図６のようにビルトイン型の加熱過熱装置が設置されるキッチンを製造しているメーカは十数社あり、それぞれのメーカによりキッチンのデザイン、扉の構成、ケコミ（足元の入り込み部）の寸法１ａや奥行１ｂ等は千差万別であり、一種類の飾り板では全てのメーカのキッチンとマッチングを合わせるのが難しいという課題があった。
【０００５】
本発明はこのような課題を解決したもので、使用性を損なうことなくキッチンに組み込んだときのキッチンとのマッチングが良好な加熱装置の提供を目的としたものである。
【課題を解決するための手段】
【０００６】
上記従来の課題を解決するために、本発明のビルトイン型加熱装置は、加熱室と、前記加熱室内の被加熱物を加熱する加熱手段と、前記加熱室を開閉する扉と、前記加熱手段を制御する制御部と、前記加熱手段の駆動を制御する操作部とを備えた高周波加熱装置を、移動可能な台車に載せて固定し、台車の前面には、上下方向、前後方向に調整可能な飾り板を有し、飾り板の位置調整によりキッチンのケコミ部（足元の入り込み部）のラインと飾り板のラインをあわせる構成としたものである。
【０００７】
これによって多種多様のキッチンとのマッチングが良くなるとともに、施工前にキッチンに合わせて飾り板を調整する事が出来るので、誰でも簡単に施工が出来るものである。
【発明の効果】
【０００８】
本発明は難しい工事を伴うことなく、容易に多種多様のキッチンとのマッチングが良好なものとなる。
【発明を実施するための最良の形態】
【０００９】
第１の発明は、加熱室と、前記加熱室内の被加熱物を加熱する加熱手段と、前記加熱室を開閉する扉と、前記加熱手段を制御する制御部と、前記加熱手段の駆動を制御する操作部とを備えた高周波加熱装置を、移動可能な台車に載せて固定し、台車の前面には、上下方向、前後方向に調整可能な飾り板を有し、前記飾り板は、キッチンのケコミ部より上方に対応する第１の飾り板および第２の飾り板と、前記ケコミ部に対応する第３の飾り板とを備え、前記第１の飾り板と前記第２の飾り板は一部を重ね合わせた構成とし、相互の位置調整によりキッチンのケコミ部（足元の入り込み部）のラインと前記第２の飾り板の下端ラインをあわせる構成とし、前記第１の飾り板と前記第２の飾り板との長手方向に隙間が発生することを防止する裏板金具を備えたものである。これにより、簡単な調整で、多種多様のキッチンとマッチングがよいものとなる。
【００１０】
以下、本発明の実施の形態を図面を参照しながら説明する。なお、この実施の形態によって本発明が限定されるものではない。
【００１１】
（実施の形態）
図１は、本実施の形態における加熱装置をキッチンに組込んだ状態の斜視図であり、図２は、この加熱装置の扉を開閉した時の斜視図である。
【００１２】
図１と図２において、キッチン１に組み込んだ加熱装置２には、ヒータ−や高周波、あるいはスチーム等の加熱手段（図示せず）によって被加熱物を加熱する加熱室３が設けられる。
【００１３】
加熱室３を開閉する扉４は、金属枠に窓部を設けて構成してあり、この窓部は耐熱性ガラスで構成してある。扉中央上部には扉４を開閉するための扉ハンドル４ａがある。加熱手段を制御する制御部５は、装置本体の適所に設けられる。前記装置本体の扉上方に設けた操作部６は、制御部５を介して加熱手段等を制御する。
【００１４】
図３は、本実施の形態の加熱装置を台車に載せて収納棚を開けた時の斜視図である。
【００１５】
図３において、加熱装置２は移動可能な台車７に載せられ、金具８にて加熱装置の両側が台車７に固定されている。台車７には前後方向にスライド式の収納棚９が備えられており、収納棚９には付属品のオーブン皿（図示せず）等が不使用時に保管できる引き出し棚になっている。この収納棚９の前面には飾り板１０が接合手段で収納棚９に固定される。
【００１６】
図４、５はそれぞれ、本実施の形態の加熱装置の飾り板の断面図、斜視図である。
【００１７】
図４、５において、飾り板１０ａの側面のフランジには、内方向の絞りがあり、絞りの面には複数個の穴が設けられている。飾り板１０ａのフランジを外側から覆うように飾り板１０ｂのフランジが構成されており、飾り板１０ａの穴に相対する部分に飾り板１０ｂのフランジにも穴が設けられている。
【００１８】
飾り板１０ａと飾り板１０ｂを組み合わせた後、飾り板１０ｂを上下方向に移動させ、キッチンのケコミ部のラインと合わせた後、ビスにより側面から締め付けを行う事で飾り板１０ｂを飾り板１０ａに固定する構成となっている。
【００１９】
また、飾り板１０ｂの側面のフランジに内方向の絞りを設け、そのフランジを飾り板１０ａのフランジにより外側から覆うようにしてもよい。
【００２０】
飾り板１０ｂの下部のフランジの両端には、長穴が設けられる。飾り板１０ｃはＬ形状をしており、飾り板１０ｂの下側のフランジの内側に構成されている。キッチンのケコミ部の奥行方向を合わせるために、飾り板を前後方向に移動させながら飾り板１０ｃの長手のフランジの穴と飾り板１０ｂの長穴を、合わせビスを締め付けることで飾り板１０ｃを飾り板１０ｂに固定する。
【００２１】
飾り板１０ｃの片側のフランジの面は飾り板１０ｄの表面に接触させ、そのフランジに設けられた長穴と飾り板１０ｄに複数個開けられた穴を合わせてビスにより飾り板を飾り板に固定する構造としている。
【００２２】
裏板１０ｅの片側は、飾り板１０ａと接合手段により固定され、反対側のフランジの面は、収納棚９に接合手段により固定される。
【００２３】
飾り板１０ｂの背面にはＺ形状の裏板金具１０ｆの片側のフランジが接合手段により固定され、反対側のフランジが飾り板１０ａのフランジに嵌合されることにより、飾り板１０ａと飾り板１０ｂが組み合わせされた時に発生する長手方向の隙間を防止する構成としている。
【００２４】
またＺ形状の裏板金具１０ｆは飾り板１０ａの背面に接合手段により固定されてもよく、その場合は、Ｚ形状の裏板金具１０ｆの片側のフランジは飾り板１０ｂのフランジに嵌合されることとなる。
【００２５】
したがって、キッチンの高さ、ケコミの高さ、奥行に応じて、飾り板と飾り板が上下に移動したり、飾り板が前後方向に調整されることで、キッチンのケコミ部のラインをあわせたり、ケコミの奥行とのマッチングが良好なものとなる。
【産業上の利用可能性】
【００２６】
以上のように、本発明はビルトイン型加熱装置に適用できる。
【図面の簡単な説明】
【００２７】
【図１】本発明の実施の形態における加熱装置をキッチンに組込んだ状態の斜視図
【図２】同加熱装置の扉を開閉した時の斜視図
【図３】同加熱装置を台車に載せて収納棚を開けた時の斜視図
【図４】同加熱装置の飾り板の断面図
【図５】同加熱装置の飾り板の斜視図
【図６】ビルトイン型の加熱過熱装置が設置されるキッチンの様子を示す図
【符号の説明】
【００２８】
１  収納家具
２  加熱装置
３  加熱室
４  扉
４ａ  扉ハンドル
５  制御部  
６  操作部
７  台車
８  金具
９  収納棚
１０  飾り板
【図１】
0005239523.tif 000002
【図２】
0005239523.tif 000003
【図３】
0005239523.tif 000004
【図４】
0005239523.tif 000005
【図５】
0005239523.tif 000006
【図６】
0005239523.tif 000007